(57)【要約】【課題】モータの駆動による無断駐車禁止表示板の起立時には駐車スペース内への車両の進入を確実に阻止するとともに、前記起立のためのモータの駆動を、駐車場の管理人等が発信した信号を受信部で受けた場合にのみ可能にして、無断駐車を確実に防止可能にする。【解決手段】外部からの送信信号を受信部２５で受信することによって、モータ駆動制御部２６がモータ１３を所定の角度領域内で正転方向および逆転方向に駆動させ、モータ１３の正転方向または逆転方向への駆動によって無断駐車禁止表示板１２を起立させて、この無断駐車禁止表示板１２上に表示された無断駐車禁止情報や身障者専用表示を、車両に進入方向に向けさせる構成とした。【選択図】図１
2010053633.tif 000002
【特許請求の範囲】
【請求項１】
駐車スペースの駐車床上に取り外し可能に設置されるベース板と、
該ベース板上に立設された一対のブラケットと、
該一対のブラケットに両端が回動自在に支持された回動軸と、
該回動軸の略中央部に該回動軸に対し直交する向きに突設された直交軸と、
該直交軸に取り付けられて無断駐車禁止表示がなされ、かつ駐車スペースへの車両の進入を阻止するサイズの無断駐車禁止表示板と、
前記回動軸の一端に減速機を介して連結されたモータと、
外部から送信された無線信号を受信部で受信することによって、前記モータを正転方向または逆転方向に駆動させるモータ駆動制御手段と、
を備え、
前記モータの正転方向または逆転方向への駆動によって、前記無断駐車禁止表示板を上方に向けて起立させまたは略水平方向に倒伏させることを特徴とする無断駐車防止装置。
【発明の詳細な説明】
【技術分野】
【０００１】
本発明は、駐車場に白線等により仕切られた駐車スペースに、関係者以外の車両が無断駐車するのを禁止する無断駐車防止装置に関する。
【背景技術】
【０００２】
多くの顧客が集まるスーパマーケット、商店、銀行、住宅団地等では、広い敷地に複数台の車両を駐車するための駐車スペースが、白線などによって区画されている。顧客は、空きとなっているこれらの駐車スペースのいずれにも、駐車することができる。このため、そのスーパマーケット、商店、銀行などの関係者でない者、例えばそのスーパマーケットの顧客でない者が無断または故意にその駐車スペースに駐車することが可能である。従って、このような無断駐車によって、買い物に来た顧客がその無断駐車された駐車スペースに車両を駐車できなくなる。このため、顧客は他の商店等に流れ、そのスーパマーケットの売り上げが落ち込むという重大な問題があった。
【０００３】
これに対して駐車スペース内の所定位置にベース部材を固定し、このベース部材に対しアーム部材を回転自在に取り付け、前記ベース部材に対し固定手段により所定の仰角位置で前記アーム部材を固定するようにして、前記アーム部材に規定値以上の外力が加わったときにアーム部材の固定を解除可能にした迷惑駐車防止装置が提案されている（例えば、特許文献１参照）。
【特許文献１】特開２００３‐２０８１６号公報
【発明の開示】
【発明が解決しようとする課題】
【０００４】
しかしながら、従来の迷惑駐車防止装置は、構成が単純で、小型かつ安価に得られるところから、多数の駐車スペースに設置する場合には経済的であるという反面、アーム部材に対し車両の一部（例えば、バンパなど）を強引に接触させて押し下げることにより、車両は駐車スペース内に進入可能になる。従って、悪意の運転者に無断駐車を許してしまうという不都合があった。また、このような悪意の運転者は、駐車スペースを離れる際にも車両を走らせて強引に駐車防止装置を突破し、これらを破壊して逃亡してしまう場合があった。
【０００５】
本発明は前記のような従来の問題点に着目してなされたものであり、無断駐車禁止表示板をモータの駆動によってのみ起立または倒伏可能にして、起立時には駐車スペース内への駐車が許可された特定の車両以外の車両の進入を確実に阻止するとともに、前記起立または倒伏のためのモータの駆動を、駐車場の管理人等が無線送信する信号を受信部で受けた場合にのみ可能にして、無断駐車を確実に防止することができる迷惑駐車防止装置を得ることを目的とする。
【課題を解決するための手段】
【０００６】
前記目的達成のために、本発明にかかる迷惑駐車防止装置は、駐車スペースの駐車床上に取り外し可能に設置されるベース板と、該ベース板上に立設された一対のブラケットと、該一対のブラケットに両端が回動自在に支持された回動軸と、
該回動軸の略中央部に該回動軸に対し直交する向きに突設された直交軸と、該直交軸に取り付けられて無断駐車禁止表示がなされ、かつ駐車スペースへの車両の進入を阻止するサイズの無断駐車禁止表示板と、前記回動軸の一端に減速機を介して連結されたモータと、外部から送信された無線信号を受信部で受信することによって、前記モータを正転方向または逆転方向に駆動させるモータ駆動制御手段と、を備え、前記モータの正転方向または逆転方向への駆動によって、前記無断駐車禁止表示板を上方に向けて起立させまたは略水平方向に倒伏させることを特徴とする。
【０００７】
この構成により、無断駐車禁止表示板は、外部からの光や電波などの特定の信号（無線信号）が受信部で受信されない限り倒伏しないため、車両などの駐車スペースへの強引な進入は阻止される。一方、駐車スペースへの正規の駐車は、駐車を許可された車両（例えば、救急車などの緊急車両）、或いは身障者専用車両などの運転者や駐車場の管理人等が送信機を用いて無線送信する特定信号を受信部で受信することにより、前記モータの回転方向および回転量とともに、無断駐車禁止表示板の起立や倒伏を簡単に制御できる。
【発明の効果】
【０００８】
本発明によれば、駐車が許可された特定人や駐車場の管理者による遠隔操作によってのみ、無断駐車禁止表示板の起立および倒伏を可能とすることで、悪質な意図を持って駐車スペースに車両を進入させようとする運転者にも、強引な進入および無断駐車を控えさせることができる。これにより、駐車スペースの管理と運用をスムースかつ安全に実施可能とすることができる。
【発明を実施するための最良の形態】
【０００９】
以下に、本発明の実施形態による迷惑駐車防止装置を、図面を参照して詳細に説明する。
図１は本発明の実施形態による迷惑駐車防止装置を示す正面図、図２は図１に示す迷惑駐車防止装置の平面図、図３は図１に示す迷惑駐車防止装置の側面図、図４は無断駐車禁止表示板を倒伏させた状態における迷惑駐車防止装置の正面図、図５は図４に示す迷惑駐車防止装置の平面図、図６は図４に示す迷惑駐車防止装置の側面図である。
【００１０】
本実施の形態による迷惑駐車防止装置は、図に示すように、ベース板１１上に無断駐車禁止の文字や身障者専用を意味する車椅子の絵柄などを表示するとともに、車両進入防止用ストッパとして機能する無断駐車禁止表示板１２と、この無断駐車禁止表示板１２を起立または倒伏させるモータ１３と、を備えたものからなる。これらのうち、ベース板１１は、厚みがある鋼板などからなり、この鋼板の複数箇所にボルト挿通孔１１ａが穿設されている。
【００１１】
また、このベース板１１は、ボルト挿通孔１１ａに駐車スペースの駐車床であるコンクリート床１４に埋め込まれたボルトが挿通され、さらにこのボルト１５にナット１６が捩じ込まれて、コンクリート床１４上に着脱可能に固定されている。
【００１２】
ベース板１１は、上から見て全体としてコ字状をなし、比較的幅広の長方板部１１ｂと、この長方板部１１ｂの両端に幅狭の長方板部１１ｃを一体に連接した形態をなす。その長方板部１１ｂ上には所定間隔をおいて一対のブラケット１７が突設され、これらのブラケット１７には回動軸１８の両端が回動自在に水平支持されている。なお、この回動軸１８の水平支持部には、必要に応じてベアリング（軸受）が設けられる。
【００１３】
回動軸１８外周の中央部付近には、筒状の軸固定部材１９が固着されている。この軸固定部材１９には、回動軸１８に対して直交する方向に、所定長の直交軸２０の一端が突設されている。従って、回動軸１８の回動角度に応じて直交軸２０は図１および図３に示すように、所定の傾き角度（例えば、略８０度）に起立したり、図４および図６に示すように、略水平に倒伏したりする。
【００１４】
直交軸２０には、無断駐車禁止表示板１２が取り付けられている。この無断駐車禁止表示板１２は略三角形状をなす２枚の三角形状板１２ａ、１２ｂが、この直交軸２０を中心として水平回動方向に、折りたたみ可能に取り付けられている。つまり、各三角形状板１２ａ、１２ｂは直交軸２０に対し、蝶番のようにヒンジ結合されている。なお、ここでは三角形状板１２ａ、１２ｂを直交軸２０に対して水平回動可能に取り付けた場合を示したが、直交軸２０との間にばねを介在することにより、相互に所定角度で開いた安定状態で直交軸２０に対し保持可能とすることもできる。
【００１５】
これらの三角形状板１２ａ、１２ｂには、その正面に無断駐車禁止効果が得られるように文字や絵柄によって無断駐車禁止の表示や身体障害者専用の表示等がなされ、その表示内容が運転者に容易に看取可能となるように、相互に開いた状態で使用される。
【００１６】
回動軸１８の一端にはギヤー２１が取り付けられている。このギヤー２１はモータ１３の出力軸１３ａに取り付けられたギヤー２２に噛合されている。ギヤー２１、２２は変速部を構成し、モータ１３の回転をこの変速部によって減速するとともに、駆動トルクを上げて回動軸１８に伝える。
【００１７】
ブラケット１７および回動軸１８は、鎖線で示すように１つのケース２３内に収納され、ギヤー２１、２２およびモータ１３は鎖線で示すように他のケース２４内に収納されている。これによりブラケット１７やギヤー２１、２２などの収納部品は、風雨などの外部環境に晒されて品質が劣化するのを防止される。
【００１８】
ケース２３内には、図１に示すように、信号受信部２５、モータ駆動制御部２６、防犯ブザー２７、バッテリ２８、監視カメラ２９などが設置されている。これらのうち信号受信部２５は駐車を許可された運転者や駐車場の管理者が携帯する送信機からの特定周波数の無線信号のみを受け付けて、モータ駆動制御部２６を動作可能にする。モータ駆動制御部２６は所定の回転方向へ所定の回転量だけ駆動する制御電力をモータ１３へ供給するように機能する。
【００１９】
従って、駐車許可がない運転者は、特定周波数の無線信号（電気信号や光信号等）を受信部へ送信できないため、前記モータ１３の駆動およびこの駆動による起立中の無断駐車禁止表示板１２を倒伏させることはできない。なお、悪意の運転者が車両により無断駐車禁止表示板１２を無理やり倒伏させようとした場合には、モータ１３の静止トルクが大きいために、この無断駐車禁止表示板１２を、倒伏させることができず、却って車両を損傷することとなる。このため、このような車両による強制的な無断駐車禁止表示板１２の倒伏を運転者にあきらめさせることができる。
【００２０】
防犯ブザー２７は、監視カメラ２９や図示しない車体検出センサなどが駐車許可のない車両が駐車スペースに進入しょうとするのを検出したとき、大音量で周辺に警報を発生するように機能する。これにより、運転者に駐車スペース付近からの退避を促すことができる。
バッテリ２８は、モータ１３等の駆動用電源の停電時における補助電源として用いられるほか、監視カメラ２９、信号受信部２５、モータ駆動制御部２６等の作動用電源として用いることもできる。
【００２１】
次に動作を説明する。
図１〜図３は、本実施形態の迷惑駐車防止装置による迷惑駐車禁止状態を示す。この状態は、無断駐車禁止表示板１２が所定の角度で起立するように、モータ駆動制御部２６によりモータ１３を駆動制御した状態であり、この無断駐車禁止表示板１２の起立状態がモータ１３の停止によって保たれている。この無断駐車禁止表示板１２の起立角度はモータ駆動制御部２６によって電気的または機械的に予め設定されている。この無断駐車禁止表示板の起立状態は、前記モータ１３の駆動制御により変更可能である。
【００２２】
この無断駐車禁止表示板の起立状態は、前記モータ１３の駆動制御により変更可能である。しかし、この起立状態にある無断駐車禁止表示板１２を人力や車両を利用して押し倒すことは、前述のようにモータ１３の静止トルクが大きいことによって困難であり、車両を使って無理に押し倒そうとすると車両が損傷を受ける。つまり、無断駐車禁止表示板１２やモータ１３はベース板１１上にあって、このベース板１１がボルト１５およびナット１６によって設置床としてのコンクリート床１４に強固に固定されているため、無断駐車禁止表示板１２やモータ１３を押し倒して駐車スペースに進入することは不可能である。
【００２３】
一方、駐車スペースへの駐車を許可された運転者または駐車場の管理者は、携帯型の発信機を操作することによって、無断駐車禁止表示板１２を倒伏させるための無線信号を信号受信部２５に向かって送信することができる。従って、信号受信部２５がこの無線信号を受信すると、モータ駆動制御部２６はこの無線信号の内容を解析して、モータ１３を所定の回転方向へ所定の回転量だけ駆動させる。
【００２４】
このため、モータ１３の回転は変速ギヤーを構成するギヤー２２、２１をそれぞれ介して回動軸１８に伝えられ、図３の矢印Ｐ方向に、この回動軸１８とともに無断駐車禁止表示板１２がゆっくりと倒伏方向に回動する。この回動の制御は、予めメモリ内に格納されたプログラムに従って、ＣＰＵ構成のモータ駆動制御部２６が実行する。
【００２５】
モータ駆動制御部２６は、無断駐車禁止表示板１２を図４〜図６に示すように、略水平位置へ移動させるようにモータ１３を駆動する。これにより、無断駐車禁止表示板１２は車両の進入を妨げないレベルに低下するため、運転者は車両をこの無断駐車禁止表示板１２を跨ぐようにして駐車スペース内に安全に移動させることができる。
【００２６】
一方、このように駐車させた車両を駐車スペースから出す場合には、運転者は駐車スペースから再び無断駐車禁止表示板１２を跨ぐようにして車両を移動させる。この後、運転者や前記管理者は送信機から受信部２５に向けて駐車表示板１２を再び立ち上げるようにモータ１３を駆動するための信号を送信する。
【００２７】
このため、受信部２５の出力信号を受けて前記モータ駆動制御部２６はモータ１３を前記とは逆方向に略同量だけ、図４〜図６に示すように矢印Ｑ方向に駆動させる。無断駐車禁止表示板１２は図１〜図３に示すように所定の傾きで立ち上がって停止し、無断駐車禁止の文字や絵柄あるいは身障者専用であることを示す車椅子の絵柄（マーク）等を正面に向けて表示する。この表示は、どのタイプの車両の運転席からも容易に看取できるサイズとすることが肝要である。また、無断駐車禁止表示板１２の立ち上げは、車両が駐車スペースから完全に離れたとき、図示しない車両検出センサの出力に基づいて自動的の行わせることもできる。
【００２８】
なお、駐車が許可されていない車両が駐車スペースに近づくものの、送信機からの正規の信号が受信部２５に送信されていない場合には、前記監視カメラからの出力や前記車両検出センサの出力により防犯ブザーを鳴動させることができる。これにより、運転者のみならず周辺の人々に違法駐車を報知でき、迷惑駐車しょうとする運転者を駐車場から効果的に撃退することができる。この場合に、迷惑駐車しょうとする運転者および車両の画像を、監視カメラを通して確認でき、必要に応じて画像データとして残すことができる。
【００２９】
このように、本実施の形態による迷惑駐車防止装置は、駐車スペースのコンクリート床１４に取り外し可能に設置されるベース板１１と、ベース板１１上に立設された一対のブラケット１７と、ブラケット１７に両端が回動自在に支持された回動軸１８と、回動軸１８の略中央部に回動軸１８に対し直交する向きに突設された直交軸２０と、直交軸２０に取り付けられて無断駐車禁止表示等がなされた無断駐車禁止表示板１２と、回動軸１８の一端に減速機を介して連結されたモータ１３と、外部からの特定の無線信号を受信部２５で受信することによって、モータ１３を正転方向または逆転方向に駆動させるモータ駆動制御部２６と、を備え、モータ１３の正転方向または逆転方向への駆動によって前無断駐車禁止表示板１２をそれぞれ上方に向けて起立させ、または略水平方向に倒伏させる構成とした。
【００３０】
この構成によって、モータ１３や無断駐車禁止表示板１２は、外部からの光や電波などの信号媒体（送信信号）が受信部２５で受信されない限りそれぞれ駆動または倒伏しないため、車両などの駐車スペースへの強引な進入は阻止される。一方、駐車スペースへの正規の駐車は、駐車を許可された車両（例えば、救急車などの緊急車両）、或いは身障者専用車両などから運転者等が送信機を用いて無線送信する信号を受信部２５で受信することにより、前記モータ１３の回転方向および回転量と、無断駐車禁止表示板１２の起立や倒伏を簡単に制御できることとなる。
【産業上の利用可能性】
【００３１】
本発明は、無断駐車禁止表示板をモータの駆動によってのみ起立可能または倒伏可能にして、起立時には駐車スペース内への車両の無断進入を確実に阻止するとともに、前記起立または倒伏のためのモータの駆動を、駐車場の管理人等が無線発信する信号を受信部で受けた場合にのみ可能にして、無断駐車を確実になくすることができるという効果を有し、駐車場に白線等により仕切られた駐車スペースに、関係者以外の車両が無断駐車するのを禁止する無断駐車防止装置等に有用である。
【図面の簡単な説明】
【００３２】
【図１】本発明の実施の形態による迷惑駐車防止装置を示す正面図。
【図２】図１に示す迷惑駐車防止装置の平面図。
【図３】図１に示す迷惑駐車防止装置の側面図。
【図４】本発明の実施の他の形態による迷惑駐車防止装置を示す正面図。
【図５】図４に示す迷惑駐車防止装置の平面図。
【図６】図４に示す迷惑駐車防止装置の側面図。
【符号の説明】
【００３３】
１１  ベース板
１２  無断駐車禁止表示板
１３  モータ
１５  ボルト
１６  ナット
１７  ブラケット
１８  回動軸
１９  軸固定部材
２０  直交軸
２１、２２  ギヤー
２３、２４  ケース
２５  受信部
２６  モータ駆動制御部
２７  防犯ブザー
２８  バッテリ
２９  監視カメラ
【図１】
2010053633.tif 000003
【図２】
2010053633.tif 000004
【図３】
2010053633.tif 000005
【図４】
2010053633.tif 000006
【図５】
2010053633.tif 000007
【図６】
2010053633.tif 000008